(57)【要約】  【解決手段】    本発明によるトレイ機能を有する回転式棚板１が、底部５の底部下面５ｂ上に回転移動式取付機構を有するシェルを備える。シェルは、底部５と、フレーム１ａとを備え、それらは、接着剤で充填された接着チャネルによって互いに形状適合して接着される。フレーム１ａは、本質的にＬ字形を有し、外縁部で底部上面５ａの一部分を形成し、家具本体の内部または外部にある水平家具構成要素３０の上面に着脱可能に位置決めされる。  【選択図】      図１
2010502319.tif 000002
【特許請求の範囲】
【請求項１】
底部５を有し、円周輪郭につながるフレーム１ａを設けられた、水平家具構成要素用、特にキッチン家具用の回転式棚板１であって、前記フレーム１ａが、本質的にＬ字形を有し、平面区域１ｂが、外縁部で、底部上面５ａの一部分を形成し、壁要素１ｃが、シェルを形成し、
複数の円形体９が、円形トラック１５ａ内で回転移動して案内され、前記回転式棚板１の底部下面５ｂに配設される
ことを特徴とする回転式棚板１。
【請求項２】
前記フレーム１ａが、底部５への接続部で、前記平面区域１ｂで全周または一部に隆起部を有し、前記隆起部が、当接縁部２となることを特徴とする請求項１に記載の回転式棚板１。
【請求項３】
前記フレーム１ａが、当接縁部２への接続部で、直線形、傾斜形、または湾曲外面での成形凹部１ｄを有し、前記成形凹部１ｄが、前記底部５の末端部５ｃを取り囲むことを特徴とする請求項１に記載の回転式棚板１。
【請求項４】
前記成形凹部１ｄが、前記底部下面５ｂに向かって張り出す凹部形態４を有し、前記凹部形態４が、形状適合して前記底部下面５ｂに係合し、載置面１ｅを成し、前記載置面１ｅが、１つの接着剤チャネルまたは接着剤チャネルの一部分となることを特徴とする前記請求項のいずれか一項に記載の回転式棚板１。
【請求項５】
前記底部５の前記末端部５ｃが、ある距離を空けて互いに位置する２つの接触面４ａおよび４ｂの間に凹部５ｄを有し、前記凹部５ｄが、設置位置で、成形凹部１ｄの内面に当接して、１つの接着剤チャネルまたは接着剤チャネルの一部分を成すことを特徴とする前記請求項のいずれか一項に記載の回転式棚板１。
【請求項６】
前記成形凹部４または前記載置面１ｅに、および／または前記底部下面５ｂに、少なくとも２つの開口、すなわち充填開口１ｆと空気排出開口１ｇとが設けられ、前記開口を通して、前記接着剤チャネルが接着剤で充填されることを特徴とする前記請求項のいずれか一項に記載の回転式棚板１。
【請求項７】
流動可能であり、様々な色および／または添加された構造粒子を設けられた接着剤３を備えることを特徴とする前記請求項のいずれか一項に記載の回転式棚板１。
【請求項８】
前記載置面１ｅで全周または一部に、好ましくは切欠形態での端部保持具７が、カラーとして、ある距離を空けて前記底部下面５ｂに平行に形成され、片側に開いた自由空間７ａを成すことを特徴とする前記請求項のいずれか一項に記載の回転式棚板１。
【請求項９】
前記壁要素１ｃが、外縁部を越えて外方向に斜めに、または凸形もしくは凹形湾曲をもって形成されることを特徴とする前記請求項のいずれか一項に記載の回転式棚板１。
【請求項１０】
前記平面区域１ｂが、前記底部上面５ａの平面を越えて斜めに、または凸形湾曲をもって形成されることを特徴とする前記請求項のいずれか一項に記載の回転式棚板１。
【請求項１１】
前記底部５が、単一の木材板素材５ｅからなり、または木材板素材５ｅとガラス板５ｃとの層からなり、前記ガラス板５ｃが、色、表面箔、または金属コーティングを片側に設けられることを特徴とする前記請求項のいずれか一項に記載の回転式棚板１。
【請求項１２】
前記回転式棚板１の基底面が、所要の形状によって特定されることを特徴とする前記請求項のいずれか一項に記載の回転式棚板１。
【請求項１３】
円周方向で、平面区域１ｂが、０．００ｍｍの長さＢを有する、または長さＢが、壁要素１ｃの長さＡよりも大きいことを特徴とする前記請求項のいずれか一項に記載の回転式棚板１。
【請求項１４】
前記回転式棚板１のシェル内で、前記底部５が、所要の形状の基底面形状を有し、前記円周状フレーム１ａが、所要の形状に対応する基底面形状を有することを特徴とする前記請求項のいずれか一項に記載の回転式棚板１。
【請求項１５】
前記底部５を取り囲む円周輪郭の所要の基底面形状に対応する長さＢを有する前記平面区域１ｂが、前記基底面形状に対応して長さＢを伸長し、前記基底面形状によって特定される変向点で短縮することを特徴とする前記請求項のいずれか一項に記載の回転式棚板１。
【請求項１６】
前記成形凹部１ｄから延びる前記載置面１ｅが、前記底部下面５ｂに形状適合して直接重畳することを特徴とする前記請求項のいずれか一項に記載の回転式棚板１。
【請求項１７】
前記成形凹部１ｄまたは前記平面区域１ｂから延びる前記載置面１ｅが、前記底部５の前記末端部５ｃにある凹部内に係合し、本質的に、前記底部下面５ｂまたは前記底部上面５ａと形状適合することを特徴とする前記請求項のいずれか一項に記載の回転式棚板１。
【請求項１８】
前記底部５が、前記載置面１ｅに当接し、前記末端部５ｃが、前記成形凹部１ｄに対して円周方向距離を残し、円周状の片側に開いた溝を形成し、前記溝内に、流動可能な接着剤３が充填されることを特徴とする前記請求項のいずれか一項に記載の回転式棚板１。
【請求項１９】
前記載置面１ｅに、ある距離を空けて互いに位置する案内壁を有する円形トラック１５ａが形成され、前記案内壁が、開端部で、前記円形トラック１５ａとは反対の位置に構成された保持クランプ１ｉを形成されることを特徴とする前記請求項のいずれか一項に記載の回転式棚板１。
【請求項２０】
円環状トラック１５が、本質的にＵ字形を有し、Ｕ字形の自由端にそれぞれ１つの内側に位置する円周状のカラー１５ｃを設けられることを特徴とする前記請求項のいずれか一項に記載の回転式棚板１。
【請求項２１】
円環状トラック１５が、円形トラック１５ａを有し、それにより、カラー１５ｃと、対向配置の保持クランプ１ｉとが、設置位置で互いに係合して、互いに保持されることを特徴とする前記請求項のいずれか一項に記載の回転式棚板１。
【請求項２２】
前記円形トラック１５ａが、転動体９に対応する前記円形トラック１５ａの片面または両面に延びる溝案内部１５ｂを有することを特徴とする前記請求項のいずれか一項に記載の回転式棚板１。
【請求項２３】
前記円形トラック１５ａが、前記底部下面５ｂに配設される、または前記底部下面５ｂに形成されることを特徴とする前記請求項のいずれか一項に記載の回転式棚板１。
【請求項２４】
前記円形トラック１５ａに対向して、前記円環状トラック１５が、内側に位置する円形トラック１５ａを設けられ、片側に形成されたカラー１５ｄを有し、端部保持具１６によって、一点または一部分で、摺動接触１６ａによって軸点３０ｃの周りで円心で前記底部下面５ｂに配設されることを特徴とする前記請求項のいずれか一項に記載の回転式棚板１。
【請求項２５】
前記円形トラック１５ａが、円板形態１１によって形成されることを特徴とする前記請求項のいずれか一項に記載の回転式棚板１。
【請求項２６】
円板状機構８が、全体を平坦な材料から形成され、外縁部に凹部を有し、前記凹部が、Ｕ字形の円形トラック１５ａを形成することを特徴とする前記請求項のいずれか一項に記載の回転式棚板１。
【請求項２７】
前記円板状機構８が、前記円形トラック１５ａの外縁部でカラー８ｅを有し、前記カラー８ｅが、実質的に、前記底部下面５ｂに平行に延在し、自由空間７ａ内に突出することを特徴とする前記請求項のいずれか一項に記載の回転式棚板１。
【請求項２８】
円心中心から始まって、前記円板状機構８が、平面内に凹部８ｂを有し、円心中心の方向で、ある距離を空けて貫通円形凹部８ａを有することを特徴とする前記請求項のいずれか一項に記載の回転式棚板１。
【請求項２９】
前記貫通凹部８ａを通して、円周状の切欠凹部１２ａを設けられた円形保持具１２によって、円板形態１１と円板状機構８とが、凹部１２ｃを通して前記底部下面５ｂにねじ留めされて配設されることを特徴とする前記請求項のいずれか一項に記載の回転式棚板１。
【請求項３０】
前記円形保持具１２に、円心の貫通円筒形状凹部１２ｂがあり、前記凹部１２ｂの直径を越えて、円筒形状の平面凹部１２ｅが、前記凹部１２ｂに同心で存在することを特徴とする前記請求項のいずれか一項に記載の回転式棚板１。
【請求項３１】
円柱形ピン１３、または平面円板１８ａを有する肩付きの円柱形ピン１８が、スリーブ１４によって前記家具構成要素３０に配設されることを特徴とする前記請求項のいずれか一項に記載の回転式棚板１。
【請求項３２】
前記平面円板１８ａが、接着手段１８ｃを設けられ、または前記平面円板１８ｂが、凹部１２ｃを構成され、接着手段１８ｃおよび凹部１２ｃによって家具構成要素３０にねじ留めおよび接着されて取り付けられることを特徴とする前記請求項のいずれか一項に記載の回転式棚板１。
【請求項３３】
円柱形態１３、１８、１８ａ、および１８ｂが、円形保持具１２のための受取部であり、凹部１２ｂおよび１２ｅ内に隙間ばめで係合することを特徴とする前記請求項のいずれか一項に記載の回転式棚板１。
【請求項３４】
前記円柱形態１３、１８、１８ａ、および１８ｂが、前記円環状トラック１５または前記円板状機構８の内径３０ｅまたは外径３０ｆで、適当な距離を空けて互いに位置する少なくとも２つの載置点３０ｄを家具構成要素３０上に構成することを特徴とする前記請求項のいずれか一項に記載の回転式棚板１。
【請求項３５】
前記転動体９が、半径方向でホルダ内に配置され、Ｕ字形内面での摺動摩擦によって前記円形トラック１５ａ上で案内されることを特徴とする前記請求項のいずれか一項に記載の回転式棚板１。
【請求項３６】
溝案内部１５ｂとホルダ１０との摺動摩擦の作動遊びが、保持カラー１５ｃと保持クランプ１ｉとの間の自由空間よりも小さいことを特徴とする前記請求項のいずれか一項に記載の回転式棚板１。
【請求項３７】
前記フレーム１ａが、好ましくはプラスチックからなり、および／または透明または半透明のプラスチックからなることを特徴とする前記請求項のいずれか一項に記載の回転式棚板１。
【請求項３８】
前記フレーム１ａが、部分的に透明に、かつ部分的に半透明に構成されることを特徴とする前記請求項のいずれか一項に記載の回転式棚板１。
【請求項３９】
前記底部５が、プラスチック射出成形法でプラスチックから作製されて構造ユニット５ｆを形成する構成要素からなることを特徴とする前記請求項のいずれか一項に記載の回転式棚板１。
【請求項４０】
前記構造ユニット５ｆの末端部５ｃが、前記成形凹部１ｄの断面輪郭の内面に対応して構成され、前記底部下面５ｂに受取凹部５ｅを有し、前記受取凹部５ｅに、前記フレーム１ａの前記載置面１ｅに形成された薄板形態１ｇが形状適合して配設されることを特徴とする前記請求項のいずれか一項に記載の回転式棚板１。
【請求項４１】
前記構造ユニット５ｆが、前記底部上面５ａで、前記薄板形態１ｇに対応する受取凹部５ｅを有し、前記受取凹部５ｅに、前記フレーム１ａの前記平面区域１ｂに形成された前記薄板形態１ｇが形状適合して配設されることを特徴とする前記請求項のいずれか一項に記載の回転式棚板１。
【請求項４２】
前記構造ユニット５ｆが、前記底部上面５ａで、前記薄板形態１ｇに対応する受取凹部５ｅを有し、前記受取凹部５ｅに、前記フレーム１ａの前記平面区域１ｂに形成された前記薄板形態１ｇが形状適合して配設されることを特徴とする前記請求項のいずれか一項に記載の回転式棚板１。
【請求項４３】
前記構造ユニット５ｆの前記末端部５ｃが、形状および形態を適合させて形成されることを特徴とする前記請求項のいずれか一項に記載の回転式棚板１。
【請求項４４】
前記平面区域１ｂに形成された前記薄板形態１ｇを有する前記フレーム１ａが、前記平面区域１ｂに直角に、前記末端部５ｃに対峙して前記成形凹部１ｄを有することを特徴とする前記請求項のいずれか一項に記載の回転式棚板１。
【請求項４５】
本発明による回転式棚板１のシェル形態が、プラスチック・シェルで一部片で形成されることを特徴とする前記請求項のいずれか一項に記載の回転式棚板１。
【請求項４６】
プラスチック・シェルの前記平面区域１ｂおよび前記壁要素１ｃが透明であり、前記底部５が半透明であることを特徴とする前記請求項のいずれか一項に記載の回転式棚板１。
【請求項４７】
前記底部５が、箔状材料を塗布したプラスチック・シェルであることを特徴とする前記請求項のいずれか一項に記載の回転式棚板１。
【請求項４８】
前記プラスチック・シェルが、前記底部５の範囲内に平面凹部を有し、前記平面凹部内に、プラスチック射出成形法で、プラスチックからなる薄層が導入されることを特徴とする前記請求項のいずれか一項に記載の回転式棚板１。
【請求項４９】
前記プラスチック・シェルが、前記底部５の範囲内に平面凹部を有し、前記平面凹部内に、板素材が形状適合して導入されて保持されることを特徴とする前記請求項のいずれか一項に記載の回転式棚板１。
【請求項５０】
前記プラスチック・シェルが、前記底部５の範囲内に平面凹部を有し、前記平面凹部内に、事前に作製された構造ユニット５ｆが、形状適合させて導入されて保持されることを特徴とする前記請求項のいずれか一項に記載の回転式棚板１。
【請求項５１】
前記回転式棚板１のシェルが、用途に応じたさらなる実施形態に従って構成されることを特徴とする前記請求項のいずれか一項に記載の回転式棚板１。
【請求項５２】
円周方向で、前記平面区域１ｂが、前記壁要素１ｃの長さＡと同じ長さＢを有することを特徴とする前記請求項のいずれか一項に記載の回転式棚板１。
【発明の詳細な説明】
【技術分野】
【０００１】
本発明は、円周輪郭につながるフレームを備える底面を有する、家具用のトレイ機能を有する回転式棚板に関する。この回転式棚板は、外縁部の構造高さを低くして構成されたものであり、家具本体の内部または外部にある水平家具構成要素の上面に回転移動式に配設される。
【背景技術】
【０００２】
既知の様式の回転式棚板は、底面が、円周輪郭につながるフレームを有することを特徴としており、それと同時に、フレームは、底部と共に、回転式棚板の本質的な構造高さを成す。フレームは、家庭内の物体の保管および分類を支援し、また、外縁部を越える物体のすべり落ちも防止する。例えばコーナー・キャビネットの場合のように、あまり良く手が届かない家具本体の中空部分内での物体の載置および分類を簡単にするために、回転式棚板が、円心または偏心軸の周りで回転可能である。
【０００３】
回転底部カルーセルの通常の回転底部構造では、回転式棚板は、家具本体の中空部分を貫通する垂直な回転軸ロッドによって、常に、第２または第３以上の回転式棚板と共に組み立てられる。中心にある、または側縁部にずらされた回転軸ロッドは、取り付けるべき回転式棚板用の保持具として採用され、円心または偏心軸点の周りでの棚板の回転を可能にする。
【０００４】
回転式棚板の中央に配設される回転軸ロッドは、物体の保管のために使用可能な回転式棚板の上面に、あまり配置することができなくなる可能性があることを意味する。中央に組み立てられた回転軸ロッドは、保管できる物体の寸法を、回転式棚板の直径の半分に制限する。回転式棚板の側縁部に配設された回転軸ロッドは、物体の配置を妨げないように家具本体の中空部分に対応して回転底部カルーセルが設置されることを必要とする。さらに、常に、家具本体の中空部分全体に回転底部カルーセルが設けられ、それにより、例えば固定および可動棚板などの別の家具構成要素を許さない。したがって、この回転式棚板の使用は、そのために予め特定された家具本体に限定される。さらに、個々の回転式棚板と回転移動取付機構との構造高さを有する回転底部カルーセルの構成は、それに対応して、家具本体の垂直構造高さに関して大きな空間を必要とする。その結果、可動棚板と比較して、使用可能な棚の数が少なくなる。さらなる欠点は、直径の小さい回転式棚板では、外縁部が、回転式棚板の構造高さ全体を成すことである。したがって、回転式棚板の実装において互いの大きさのずれが生じる。
【発明の概要】
【発明が解決しようとする課題】
【０００５】
本発明の目的は、直径の小さい回転式棚板で、全体的な外観に関して互いの大きさの均衡が得られるように、外縁部で小さな構造高さを有する回転式棚板を提供することである。さらに、個々の回転式棚板は、水平家具構成要素、例えば固定または可動棚板の上面に取り付けることができる。さらに、家具本体の中空部分の空間高さを貫通する回転軸ロッドの設置をなくすことができ、それに関連する垂直方向での空間高さの損失をなくすことができ、それでも、円心または偏心軸点の周りでの回転が可能である。  
【課題を解決するための手段】
【０００６】
この課題は、本発明によれば、フレームが、本質的にＬ字形であり、回転式棚板の中央に向かう底部上面の一部分を形成することによって解決される。それにより、底部プレートを、外縁部から中央に向けてわずかに凹ませることができる。さらに、好ましくは、回転式棚板の底部プレートの下面に、円心または偏心回転軸を形成する円筒形の受取部分と、円筒形ローラ、玉、または同様の転動体として回転または転動するように形成されて、円形トラック内に配設された球状成形体とがある。したがって、水平家具構成要素上での個々の回転式棚板に関する回転が可能である。
【０００７】
本質的にＬ字形であり、底部上面の一部を形成するフレームは、好ましくは、透明または半透明のプラスチックで作製される。本発明によるフレームは、射出成形で、また一部は深絞り法で作製することができる。さらに、両方の方法において、透明区域と半透明区域とを組み合わせることができ、それにより、例えば、円周状の当接縁部またはノブとして形成される隆起部など、構造に必要な細部が半透明で得られる。したがって、それにより、保管される物体の衝突による機械的な負荷の際に、わずかな損傷は、目に見える程には生じ得ない。しかしまた、底部上面を囲うフレームの部分を半透明にし、底部上面の区域を形成する部分を透明にして、互いに組み合わせることもできる。それにより、外縁部が半透明で自立式に配設されているような視覚的印象が得られる。透明表面区域と半透明表面区域との組合せは、フレームの内部領域または外部領域で、両面でも片面でも実現することができる。
【０００８】
本発明によるタイプの回転式棚板では、フレームに、底部用の円周状の成形凹部が提供され、この成形凹部は、さらなる円周状の陥凹部と、底部用の載置面とによって構成される。円周状の陥凹部は、接着物質を受け取るためのものである。さらに、底部の末端部に、２つの接触面の間で円周状に存在する。フレームの成形凹部で使用されるさらなる凹部が、接着剤チャネルを形成し、その中に、接着剤が開口を通して導入され、底部をフレームと接着する。さらに、回転式棚板は、完全にプラスチックから作製することができ、その際、底部プレートを使用する代わりに、半透明区域が形成される。球体、円筒形ロール、および玉、または同様の転動体によって回転が可能にされ、これらは、好ましくは、回転式棚板の下面で、ホルダに一体に組み合わせて保持される、または対応する凹部を有する円形または環状機構内で使用される、または円心もしくは偏心回転軸の周りでの個々の軸方向回転移動ローラ要素として配設される。円心または偏心回転軸点は、必要に応じて、取外し可能な円柱形ピンによって、または水平家具構成要素に永久的に導入される、一端で部分的に肩付きの円筒体によって得られ、回転式棚板のための受取部として働く。どちらの変形形態に関しても、水平家具構成要素の上面に凹部が必要である。水平家具構成要素の凹部をなくしたいときには、家具構成要素の上面に円筒形受取部を接着することもできる。
【０００９】
低い外縁部と回転式取付機構とを有する本発明によるタイプの回転式棚板により、さらに回転式棚板を利用できる可能性が生じる。この場合、家具本体の内部または外部に設置された水平家具構成要素で十分である。使用し得る家具構成要素は、家具本体内に設置された固定または可動棚板である。家具システムの外部で、例えば、回転式棚板を利用するために開いた棚および個別の棚底を使用することができる。基本的には家具本体内で可動棚板が使用されることにより、幾つかのキャビネット・タイプでは、個々の場合に、既知の取付け技法を採用して、収納すべき物体の分類および載置の簡略化を可能にすることはできない。本発明による回転式棚板では、家具本体の選択された部分への簡単な取付けおよび後付けが可能である。これは、例えばキッチン壁掛けキャビネットで実現され、キッチン壁掛けキャビネットは、基本的には小さなキャビネット奥行きによって特徴付けられ、棚板構造を設けられ、様々な物体が分類されずに重ねられる、または並べられる。所望の物体を探す際、棚構造内で物体があちこちに動かされる、または棚構造から取り出される。本発明による回転式棚板により、様々な異なる物体を一緒に保持し、キャビネット奥行きにわたって転動させることができる。それにより、様々な物体に簡単に手が届く。
【００１０】
本発明のさらなる特徴は、さらなる従属請求項の対象である。
【００１１】
以下、本発明の実施例を、図面に関連してより詳細に説明する。
【図面の簡単な説明】
【００１２】
【図１】概略斜視図での、トレイ機能を有する本発明による回転式棚板１を通る軸対称断面図である。
【図２】円形保持具１２を通る断面図である。
【図３】スリーブ１４内の円柱形ピン１３を通る断面図である。
【図４】スリーブ内の肩付きの円柱形ピン１８を通る断面図である。
【図５】平坦円板１８ａを通る断面図である。
【図６】平坦円板１８ｂを通る断面図である。
【図７】家具構成要素３０を示す図である。
【図８】本発明による回転式棚板１の外縁部を通る部分断面図である。
【図９】さらなる輪郭でのフレーム１ａの外縁部の部分断面図である。
【図１０】さらなる輪郭でのフレーム１ａの外縁部の部分断面図である。
【図１１】フレーム１ａの縁部と、設置位置で重なる２つの個別のプレートからなる底部５との部分断面図である。
【図１２】フレーム１ａの１つの断面輪郭とさらなる構成とを通る部分断面図である。
【図１３】フレーム１ａの１つの断面輪郭とさらなる構成とを通る部分断面図である。
【図１４】本質的に不均一な角度形態からなるフレーム１ａの断面輪郭を示す図である。
【図１５】閉じられた接着剤チャネルと関連して把持される、末端部にある設置面１ａの図である。
【図１６】閉じられた接着剤チャネルと関連して把持される、末端部にある設置面１ａの図である。
【図１７】閉じられた接着剤チャネルと関連して把持される、末端部にある設置面１ａの図である。
【図１８】閉じられた接着剤チャネルと関連して把持される、末端部にある設置面１ａの図である。
【図１９】回転移動取付機構用の円環状トラック１５を有するフレーム１を通る断面図である。
【図２０】回転移動取付機構用の円環状トラック１５を有するフレーム１を通る断面図である。
【図２１】個々の構成要素として作製された、底部５内に縁部を有するフレーム１ａを通る断面図である。
【図２２】個々の構成要素として作製された、底部５内に縁部を有するフレーム１ａを通る断面図である。
【図２３】個々の構成要素として作製された、底部５内に縁部を有するフレーム１ａを通る断面図である。
【図２４】プラスチック・シェルの形態での、トレイ機能を有する本発明による回転式棚板１を通る軸対称断面図である。
【発明を実施するための形態】
【００１３】
図１は、底部５の下面に回転移動取付機構を有するシェルからなる、トレイ機能を有する本発明による回転式棚板１を示す。シェルは、底部５と、フレーム１ａとからなり、それらは、接着剤で充填された接着剤チャネルによって互いに形状適合して接着される。回転移動取付機構に対応して、フレーム１ａは、半径方向で円周状の端部保持具７、または部分的に形作られた端部保持具７、または図１９におけるような円形トラックを用いて、追加機能を設けられる。端部保持具は、水平家具構成要素から回転式棚板を受け取る際に、底部下面５ｂで、所望の方向および形態で円板状機構８を保持する。円板状機構８は、円心中点に、円形保持具１２用の円形凹部８ａを有する。凹部８ａを取り囲んで、載置面８ｃに対向して、円筒形状の肩部８ｂが導入され、それにより、円形保持具１２は、設置位置で本質的に載置面８ｃと平坦面を形成する。外縁部に、Ｕ字形状の凹部８ｄがあり、凹部８ｄは、円形トラック１５ａを形成し、円形トラック１５ａ内で、転動体９が、ホルダ１０内で半径方向で位置合わせされて載置される。ホルダは、円形トラックの側壁で、摺動摩擦による案内を可能にする。フレーム１ａには、底部下面５ｂで、本質的にカラーを形作る角度形態があり、カラーは、ある距離を空けて底部下面５ｂに平行に位置合わせされ、溝形態７ａの自由空間内の中央へ、内側に向かって張り出して係合する。底部下面５ｂに当接する円板１１が、円形トラック１５ａを実現する。凹部８ａを通して、円形保持具１２によって、円板状機構８と円板１１とが、底部下面５ｂでねじ留め接続によって取り付けられる。円板状機構８は、実施形態全体において、本質的に、成形された平坦材料から成る。
【００１４】
図２の円形保持具１２は、円周状の切欠凹部１２ａを有して底部下面５ｂに提供され、切欠凹部１２ａに、円板状機構８が凹部８ａで当接して保持され、凹部１２ｃを通してねじ手段によって底部下面５ｂに取り付けられる。円心貫通凹部１２ｂが、図３におけるような円柱形ピン１３を隙間ばめで受け取るのに適した直径で提供される。さらなる円筒形凹部１２ｅは、凹部１２ｂよりも直径が大きく、円形保持具１２の高さのほぼ半分まで達する。それにより、円柱形態用の２つの異なる受取部が、家具構成要素３０の方向で互いに重なって作成される。図３および４は、円柱形ピン１３が採用される位置に対応するスリーブ１４を示し、円柱形ピン１３が、凹部１２ｂ内での回転式棚板１の受取りを可能にする。個々の平坦円板１８ａを、図５におけるように接着手段１８ｃによって、または図６におけるように凹部１２ｃを通して、図７における家具構成要素３０にねじ留めまたは接着して取り付けることができる。
【００１５】
円形保持具１２内に把持されて、円柱形ピン１３および／または肩付きの円柱形ピン１８または平坦円板１８ａは、円心または偏心軸点３０ｃを形成する。軸点３０ｃの代わりに、対応する受取部１３、１８、１８ａが、ある距離を空けて互いに位置する少なくとも２つの載置点３０ｄとして機能することもできる。これらの載置点３０ｄは、成形された環状軸受１５または円板状機構８の内面３０ａまたは外面３０ｆに当接し、回転式棚板１を特定の位置に載置できるようにする。さらに、第３または第４以上の載置点３０ｄが、位置決めをより一層簡単にすることができる。
【００１６】
図８は、木材板素材からなる底部５を有する本発明による回転式棚板１の外縁部を通る部分断面図を示す。フレーム１ａは、外縁部で円周状に、底部５の円周輪郭につながる。フレーム１ａの断面は、不均一の角度によって構成され、本質的にＬ字形を有し、好ましくは透明なプラスチックからなる。
【００１７】
Ｌ字形を有する不均一な角度のより小さな辺は、フレーム１ａの平面区域１ｂであり、この区域は、外縁部で円周状に、底部上面５ａと同様の平坦面の一部分を形成する。底部上面５ａおよび平面区域１ｂに対するフレーム１ａの壁要素１ｃのＬ字形の直交配置は、片側に向かって開いたシェル形態の空間体積を形成する。フレーム１ａの平面区域１ｂは、底部５の末端部への接続部に円周状の隆起部２を設けられ、この隆起部２は、必要な大きさだけ、底部上面５ａ平坦面全体および平面内の平面区域１ｂよりも突出し、当接縁部として働く。
【００１８】
隆起部２から始まって、フレーム１ａのさらなる円周状の成形構成１ｄがあり、この成形構成１ｄは、底部５の末端部５ｃを、底部中央に向かって先細りする断面輪郭で、底部下面５ｂに向けてフレーム内に把持する。成形構成１ｄは、底部下面５ｂに向かって張り出すさらなる凹部形態４を提供され、凹部形態４は、接着剤チャネルまたは接着剤チャネルの一部分を実現し、形状適合して底部下面５ｂに係合し、底部５用の載置面１ｅを成す。載置面１ｅは、常に底部５よりも小さい円周直径で構成される。載置面１ｅに、回転軸の方向で、半径方向で円周状に、好ましくは切欠形状で、ある距離を空けて底部下面５ｂに平行なカラーが形作られる。カラー７は、採用される底部５と共に、溝の形態での中間空間を形成する。
【００１９】
底部５の円周状の末端部５ｃで、ある距離を空けて互いに位置する２つの接触面４ａおよび４ｂの間に、凹部５ｄがある。凹部５ｄは、接着剤チャネルまたは接着剤チャネルの一部分を形成する。接触面４ａは、底部上面５ａおよび末端部５ｃから始まり、できるだけ最小の載置面を有して形成される。接触面４ｂは、底部下面５ｂにあり、載置面１ｅに当接する。フレーム１ａの成形凹部１ｄの先細りする断面輪郭の内側に当接する接触面４ａおよび４ｂが、円周状の閉じられた中空空間を成し、この中空空間が接着剤チャネルとなる。接着剤チャネルは、軸対称に対向する少なくとも２つの幾つかの開口を有する。すなわち、接着剤用の充填開口１ｆと、空気排出開口１ｆとである。開口は、底部下面５ｂに対して最大距離をもって、上にある凹部４内に導入される。充填開口１ｆを通って、流動可能な接着剤３が、わずかな圧力の下で充填され、空気が、少なくとも１つの第２の開口、すなわち空気排出開口１ｆを通って逃げる。それにより、底部５およびフレーム１ａの円周状の接着が生成され、これは、フレーム１ａと底部プレート５との永久的な接着を可能にする。好ましくは透明なプラスチックで構成されたフレーム１ａでは、接着剤が、選択に応じて、様々な色または小さな微粒子および／または粒子を設けられ、それに対応して色付きで構成される。
【００２０】
図９および図１０は、フレーム１ａの部分区域１ｃのＬ字形の直交配置を除いて図８のものと同じフレーム１ａを通る部分断面を示す。片側が開いた部分区域１ｃのシェル縁部は、中央から部分区域１ｂの外縁部を越えて外方向に斜め姿勢で配置され、あるいは、図９と同様の配置で、図１０では部分区域１ｃの長さの凸形湾曲を有する。
【００２１】
図１１は、基底プレート５ｅから始まる層状設置位置での２つの個別のプレートからなる底部５を示し、基底プレート５ｅが、底部下面５ｂを構成し、底部上面５ａへの自由空間を残す。この自由空間内で、さらなるプレート５ｃを採用することができ、このプレート５ｃは、例えばガラス板など、相応の表面品質を特徴とする。下面で、ガラス板は、塗料の形態、または金属もしくはプラスチックからなる箔の形態で、片面にコーティングを設けられる。好ましくは、基底プレートは、木材板素材からなり、図８での円周状の末端凹部５ｂを構成される。さらに、図１１で、成形凹部１ｄは、図８〜１０におけるような傾斜の代わりに、凹部形状４の部分凹部によって、外側に丸みを形成される。
【００２２】
載置面１ｅは、底部下面５ｂで終端し、したがって、さらなる回転移動取付機構のための取付け自由空間が生じ、回転移動取付機構は、半径方向で、軸点から、底部下面５ｂの外縁部で円周状に取り付けられる。このようにすると、回転移動取付機構なしで構成されるシェルまたはトレイに関する構成上の特徴も実現される。
【００２３】
図１２および１３は、異なる大きさのフレーム１ａでの２つの断面輪郭であり、これらは、シェル内で、個々に、または一緒に、全体として、または部分的に使用される。図１２で、平面区域１ｂの長さＢは、非常に小さく、またはゼロであり、図１３では、長さＢは、壁要素１ｃの長さＡに比べて長い。目的または美観についての様々な所要の形態に応じて、凸形または非凸形の面形状での２つの異なる形状または幾何形状をシェル内で実装することができる。底部５の円周輪郭につながるフレーム１ａの円周で、フレーム１ａの下側外縁部から底部５の末端部まで測定される平面区域１ｄの長さＢは、形状に応じて、形状によって特定される変向点まで長さを伸長し、再び長さを短縮し、かつ／または底部５に本質的に平行に、フレーム１の区域内で延在する。図１２および１３に示される断面は、フレーム１ａでのＬ字形の不均一な角度のさらなる中間値でも、全周にわたって、または部分的に提供することができる。
【００２４】
図１４に、さらなる構成上の特徴を有するフレーム１ａの断面輪郭が示される。フレーム１ａは、壁要素１ｃと、それに続く成形凹部１ｄとを有し、成形凹部１ｄは、底部プレート５の円周輪郭の外壁に直線状につながるように図示されている。成形凹部１ｄによる底部プレート５の末端部５ｃのフレーム構造との接続部で、底部プレート５用の載置面１ｅが、底部下面５ｂに形状適合して終端して、直接重畳する。接着剤チャネルは、底部プレート５の末端部５ｃで、接触面４ａおよび４ｂの間の凹部５ｄを通してのみ形成される。
【００２５】
図１５は、成形凹部１ｄでの載置面１ｅが、そのために提供された凹部内で、底部５の末端部５ｃに係合する様子を示す。そこでは、載置面１ｅが、本質的に底部下面５ｂの平面と形状適合して位置される。充填開口１ｆが、ある角度方向で底部５の下面に配設される。図１６では、載置面１ｅが、平面区域１ｂに形作られ、本質的に底部上面５ａと形状適合して位置され、図１５と同様に底部５の末端部５ｃに係合する。
【００２６】
図１７および１８は、底部５の上面および下面に向けられた片側で開いた接着剤チャネル４ｃを示す。図１７では、載置面１ｅは、図１６に示されるのと同様に平面区域１ｂで底部上面５ａに対して形作られ、そこに底部５が当接する。末端部５ｃは、成形凹部１ｄの範囲内で、ある距離だけ円周方向でわずかに凹んでおり、片側に開かれた接着剤チャネル４ｃ用の溝形態の空間を底部下面５ｂに提供する。接着剤チャネル４ｃは、接着剤によって充填される。
【００２７】
図１８での載置面１ｅは、図１５のものと同様であり、底部５で、図１７と同様に片側で開いた接着剤チャネル４ｃを有し、この接着剤チャネル４ｃは、接着剤によって充填され、底部上面５ａに向けられる。
【００２８】
図１９では、載置面１ｅで、さらに延長して、軸点３０ｃの周りで半径方向に円形トラック１５ａが形成され、円形トラック１５ａは、ある距離を空けて互いに位置する、円形トラック１５ａに直角に配置された２つの案内壁を有する。これらの案内壁は、部分的にまたは一点に形作られた保持クランプ１ｉを設けられる。Ｕ字形の円環状トラック１５は、Ｕ字形の両端部に、円形トラック１５ａの方向に向けられた保持カラー１５ｃを設けられる。
【００２９】
保持クランプ１ｉと保持カラー１５ｄとは、設置位置およびそれらの相互配置で、断面で片側に開いた制限された自由空間を有して互いに重畳する。図１９によれば、案内壁と保持クランプ１５ｄとを有する円形トラック１５ａ内に、転動体が導入される。さらに、Ｕ字形の円環状トラック１５は、円形トラック１５ａの範囲内で、係合する対応する両側案内凹部１５ｂを提供される。案内凹部１５ｂとホルダ１０の摺動案内との作動遊びは、保持クランプ１５ｃと保持クランプ１５ｄとの間の自由空間内で作動時に接触が生じ得ないように寸法設定される。
【００３０】
図２０では、底部下面５ｂで、終端した載置面１ｅの近くで、環状円形トラック１５ａが、外縁部に軸点３０ｃの周りで円心で配設される。内部に位置する円形トラック１５ａと、Ｕ字形状の上側に片側で円周状に形成されたカラー１５ｄとを有するＵ字形の円環状トラック１５が、円形トラック１１ａに対向して位置し、カラー１５ｄは、設置位置で底部下面に向かう自由空間を残す。Ｕ字形状の内側で、軸点３０ｃの周りで半径方向に配置されたホルダ１０内に、転動体９が位置する。ホルダ１０は、本質的に、Ｕ字形状の内側で、対向して位置する側で、全周または一部で転動体９の範囲内に位置し、摺動摩擦によって、軸方向量にわたる転動体の案内が実現される。端部保持具１６は、一点、または一部分で円環状トラック１５に平行に半径方向量にわたって、摺動接触１６ａで底部下面５ｂに好ましくはねじ留めによって配設される。端部保持具１６は、自由突出端で、基底面に対して重畳する構成を提供され、基底面は、円環状トラック１５の方向で、カラー１５ｄの外縁部を越えて自由空間と係合される。端部保持具１６は、家具構成要素３０を受け取る際に、所望の方向および形状で円環状トラック１５を保持する。
【００３１】
図２１では、底部５が、好ましくは射出成形プラスチック部品からなる構造ユニット５ｆとして作製される。その際、底部５は、末端部５ｃが、成形凹部１ｄの断面輪郭の内面に対応して構成されるような形態である。さらに、底部下面５ｂに受取凹部５ｅが形成される。フレーム１ａの載置面１ｅで、底部上面５ａの方向に、一部または全周に層構造１ｇが構成される。層構造１ｇは、成形凹部１ｄと共に、底部上面５ａの方向で片側に開いた空間を制限し、空間内に底部５が末端部５ｅで係合する。受取凹部５ｅと層構造１ｇとによって、フレーム１ａは、底部５と互いに結合され、形状適合して保持される。
【００３２】
図２２および図２３でのフレーム１ａでは、平面区域１ｂで、底部下面５ｂの方向に層構造１ｇが配設される。層構造１ｇは、受取凹部５ｅ内に係合し、受取凹部５ｅは、底部上面５ａで、末端部からある距離を空けて、底部中央の方向に戻った位置に配設される。
【００３３】
この実施形態では、底部５は、受取凹部５ｅから末端部５ｃの方向で平面区域１ｂの断面の量だけ、底部上面５ａで空けられている。図２２では、この場合、末端部５ｃは、目に見える縁部に対応して、形状および構造が適合されて形成されている。図２３でのフレーム１ａでは、成形凹部１ｄは、構造ユニット５ｆの末端部５ｃの前で直線状に係合する。
【００３４】
図２４で、フレーム１ａと底部５とを有する本発明による回転式棚板１が、プラスチック・シェルで一部片で形成される。平面区域１ｂと壁要素１ｃとを有するフレーム１ａは、好ましくは透明プラスチックからなる。底部５は、半透明で構成される。半透明の底部５は、好ましくは、底部上面５ａおよび／または底部下面５ｂでの表面構造によって実現される。さらなる可能性は、プラスチック射出成形法で、プラスチックからなる薄層を底部５の範囲内に塗布することである。
【００３５】
底部５はまた、薄い箔、プレート素材、または構成要素によっても形成することができる。
【００３６】
平面内の箔、プレート素材、または構成要素の断面塗布量に対応して、プラスチックシェル内で、底部５の範囲内に平面凹部が形成される。平面凹部に、箔、またはプレート素材、または構成要素が導入され、平面区域１ｂと同様に、平坦な基底面がプラスチック・シェルで得られる。
【００３７】
図２０によれば、プラスチック・シェルの底部５の下面５ｂに、さらに、回転移動取付機構のために円形トラック１５ａが形成される。
【図１】
2010502319.tif 000003
【図２】
2010502319.tif 000004
【図３】
2010502319.tif 000005
【図４】
2010502319.tif 000006
【図５】
2010502319.tif 000007
【図６】
2010502319.tif 000008
【図７】
2010502319.tif 000009
【図８】
2010502319.tif 000010
【図９】
2010502319.tif 000011
【図１０】
2010502319.tif 000012
【図１１】
2010502319.tif 000013
【図１２】
2010502319.tif 000014
【図１３】
2010502319.tif 000015
【図１４】
2010502319.tif 000016
【図１５】
2010502319.tif 000017
【図１６】
2010502319.tif 000018
【図１７】
2010502319.tif 000019
【図１８】
2010502319.tif 000020
【図１９】
2010502319.tif 000021
【図２０】
2010502319.tif 000022
【図２１】
2010502319.tif 000023
【図２２】
2010502319.tif 000024
【図２３】
2010502319.tif 000025
【図２４】
2010502319.tif 000026
【国際調査報告】
2010502319.tif 000027
2010502319.tif 000028
2010502319.tif 000029
2010502319.tif 000030